(57)【要約】【課題】  コンピュータに接続可能なＴＶ信号受信モジュール及びこれを装着したコンピュータを提供する。【解決手段】  アナログ及びデジタルＴＶ信号を受信するチューナー１と，チューナーが受信したアナログＴＶ信号から分離した映像信号を画面上に表示可能な信号として処理するビデオデコーダ３と，ビデオデコーダで処理された映像信号を圧縮する圧縮エンジン部５と，圧縮されたフォーマットで映像信号を格納するメモリ部７と，デジタルＴＶ信号および上記映像信号が携帯用コンピュータに伝送されるように制御するネットワーク連結部１０とが一体に形成されていることを特徴とする。【選択図】    図１
2005006284.tif 000002
【特許請求の範囲】
【請求項１】
コンピュータに接続可能なＴＶ信号受信モジュールであって：
アナログＴＶ信号及びデジタルＴＶ信号の双方を受信可能なチューナーと，
前記チューナーによって前記アナログＴＶ信号から分離された映像信号を受けて画面上に表示可能な信号として処理するビデオデコーダと，
前記ビデオデコーダで処理された映像信号を圧縮する圧縮エンジン部と，
前記圧縮エンジン部で圧縮されたフォーマットで前記映像信号を格納するメモリ部と，
前記デジタルＴＶ信号および前記メモリ部に格納された映像信号がコンピュータに伝送されるように制御するネットワーク連結部と，
が一体に形成されていることを特徴とする，ＴＶ信号受信モジュール。
【請求項２】
前記ネットワーク連結部は，前記デジタルＴＶ信号及び前記メモリ部に格納された映像信号がＵＳＢポートを通じてコンピュータに伝送されるように制御することを特徴とする，請求項１に記載のＴＶ信号受信モジュール。
【請求項３】
前記ネットワーク連結部は，前記デジタルＴＶ信号及び前記メモリ部に格納された映像信号がＵＳＢポートを通じてコンピュータに伝送されるようにそれぞれ別途に制御することを特徴とする，請求項２に記載のＴＶ信号受信モジュール。
【請求項４】
前記ネットワーク連結部は，  前記デジタルＴＶ信号及び前記メモリ部に格納された映像信号が単一のＵＳＢポートを通じてコンピュータに伝送されるように制御することを特徴とする，請求項２又は請求項３に記載のＴＶ信号受信モジュール。
【請求項５】
コンピュータの携帯用電源供給装置が装着される位置に設けられるように外装が形成されることを特徴とする，請求項１から請求項４のいずれかに記載のＴＶ信号受信モジュール。
【請求項６】
前記コンピュータには前記携帯用電源供給装置と接続可能に備えられたコネクタに隣接して別個に前記ＴＶ信号受信モジュールと接続可能なコネクタが備えられており，前記ＴＶ信号受信モジュールが前記コンピュータの前記ＴＶ信号受信モジュールコネクタに接続されてＴＶ信号を前記コンピュータに伝送することを特徴とする，請求項５に記載のＴＶ信号受信モジュール。
【請求項７】
前記コンピュータにケーブルを通じて接続可能な外部連結端子をさらに含むことを特徴とする，請求項６に記載のＴＶ信号受信モジュール。
【請求項８】
アナログＴＶ信号及びデジタルＴＶ信号の双方を受信可能なチューナーと，
前記チューナーによって前記アナログＴＶ信号から分離された映像信号を受けて画面上に表示可能な信号として処理するビデオデコーダと，
前記ビデオデコーダで処理された映像信号を圧縮する圧縮エンジン部と，
前記圧縮エンジン部で圧縮されたフォーマットで前記映像信号を格納するメモリ部と，
前記デジタルＴＶ信号および前記メモリ部に格納された映像信号がコンピュータに伝送されるように制御するネットワーク連結部と，
が一体に形成されてコンピュータの携帯用電源供給装置が装着される位置に設けられるように外装が形成されているＴＶ信号受信モジュール，
を含むことを特徴とするコンピュータ。
【請求項９】
前記携帯用電源供給装置と接続可能に備えられたコネクタに隣接して別個に設けられた前記ＴＶ信号受信モジュールと接続可能なＴＶ信号受信用のコネクタをさらに含み，
前記ＴＶ信号受信モジュールが前記コンピュータの前記ＴＶ信号受信モジュールコネクタに接続されてＴＶ信号を前記コンピュータに伝送することを特徴とする，請求項８に記載のコンピュータ。
【発明の詳細な説明】
【技術分野】
【０００１】
本発明はＴＶ信号受信モジュール及びこれを装着したコンピュータに関する。
【背景技術】
【０００２】
ＴＶ信号受信モジュールであるＴＶカードは，コンピュータシステム，特に，パーソナルコンピュータ（Ｐｅｒｓｏｎａｌ  Ｃｏｍｐｕｔｅｒ，以後，パソコンと称する。）でテレビ視聴を可能にする装置である。
【０００３】
一般的にＴＶ信号受信モジュールの一つであるアナログＴＶ／ＰＶＲ（Ｐｅｒｓｏｎａｌ  Ｖｉｄｅｏ  Ｒｅｃｏｒｄｅｒ）カードは，ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）チューナーに装着されたアンテナを通じて受信されたアナログＴＶ放送信号をデジタル信号に変換／圧縮してＰＣＩ（Ｐｅｒｉｐｈｅｒａｌ  Ｃｏｍｐｏｎｅｎｔ  Ｉｎｔｅｒｃｏｎｎｅｃｔ）バスを通じてコンピュータシステムに伝え，外部ディスプレイ装置に表示されるようにする。
【０００４】
同様に，デジタルＴＶカードはＮＴＳＣ／ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）チューナーを通じて受信されたＴＶ放送信号のうち，ＮＴＳＣはバイパスさせ，ＡＴＳＣは復調及び復元してデジタル信号に変換してＰＣＩバスを通じてコンピュータシステムに伝え，外部ディスプレイ装置に表示されるようにする。
【０００５】
上記ＴＶカードを含む現在広く使用されているＴＶカードは，コンピュータのメインボードに備えられたスロットに装着させうるＰＣＩインターフェースを備えている。使用者はＴＶカードをコンピュータに装着させることにより，容易にコンピュータシステム上でテレビを視聴することができる。
【発明の開示】
【発明が解決しようとする課題】
【０００６】
しかし，このようなＰＣＩインターフェースに装着されるＴＶカードは，コンピュータシステムの起動時に装着されなければコンピュータシステムによる認識が不可能であり，コンピュータ使用を中断せずに連結できるホットプラグ（ｈｏｔ−ｐｌｕｇ）に対応していないという問題があった。
【０００７】
また，コンピュータシステム，特に，携帯用コンピュータの本体に載置されるメインボードの小型化趨勢により，アナログＴＶカードとデジタルＴＶカードの両方をスロットに装着させることは困難であるという問題があった。
【０００８】
そこで，本発明は，このような問題に鑑みてなされたもので，その目的とするところは，アナログＴＶ信号およびデジタルＴＶ信号の両方を受信し，携帯用コンピュータの使用時にも接続が可能であり，コンピュータの内部または外部に装着可能なＴＶ信号受信モジュール及びこれを装着したコンピュータを提供することにある。
【課題を解決するための手段】
【０００９】
上記課題を解決するために，本発明のある観点によれば，コンピュータに接続可能なＴＶ信号受信モジュールであって，アナログＴＶ信号及びデジタルＴＶ信号の双方を受信可能なチューナーと，上記チューナーによって上記アナログＴＶ信号から分離された映像信号を受けて画面上に表示可能な信号として処理するビデオデコーダと，上記ビデオデコーダで処理された映像信号を圧縮する圧縮エンジン部と，上記圧縮エンジン部で圧縮されたフォーマットで上記映像信号を格納するメモリ部と，上記デジタルＴＶ信号および上記メモリ部に格納された映像信号がコンピュータに伝送されるように制御するネットワーク連結部とが一体に形成されていることを特徴とする，ＴＶ信号受信モジュールが提供される。
【００１０】
上記発明によれば，一つのＴＶ信号受信モジュールでアナログＴＶ信号とデジタルＴＶ信号の両方を受信することができる。具体的には例えば，一つのＴＶ信号受信モジュールでアナログＴＶ信号であるＮＴＳＣ及びデジタルＴＶ信号であるＡＴＳＣの両方を受信することができる。従って，アナログＴＶカードとデジタルＴＶカードの両方をコンピュータに接続する必要がないため，小型化趨勢の携帯用コンピュータへの使用に適している。
【００１１】
上記ネットワーク連結部は，上記デジタルＴＶ信号及び上記メモリ部に格納された映像信号がＵＳＢポートを通じてコンピュータに伝送されるように制御することが望ましい。かかる構成によれば，ＴＶ信号受信モジュールの接続のためにコンピュータを再起動する必要がない。具体的には例えば，ＰＣＩインターフェースの代わりにＵＳＢを用いて携帯用コンピュータに接続できるので，携帯用コンピュータの使用時にいつでも接続してＴＶを視聴できる便宜を提供する。
【００１２】
上記ネットワーク連結部は，上記デジタルＴＶ信号及び上記メモリ部に格納された映像信号がＵＳＢポートを通じてコンピュータに伝送されるようにそれぞれ別途に制御することが望ましい。
【００１３】
上記ネットワーク連結部は，上記デジタルＴＶ信号及び上記メモリ部に格納された映像信号が単一のＵＳＢポートを通じてコンピュータに伝送されるように制御することが望ましい。
【００１４】
上記ＴＶ信号受信モジュールは，コンピュータの携帯用電源供給装置が装着される位置に設けられるように外装が形成されてもよい。かかる構成によれば，コンピュータの携帯用電源供給装置が装着される位置に安定してＴＶ信号受信モジュールを装着することができる。かかる構成によれば，例えば，メインボードに備えられたスロットに装着されることなく，携帯用コンピュータに容易に接続できる。これにより，本発明によるＴＶ信号受信モジュールはスロット装着型ボードの形態を維持しなくてもよいため，様々な形態で設計されるが，特に，携帯用コンピュータの携帯用電源供給装置が装着される位置に設けられて内部に装着されても具現が可能である。
【００１５】
上記コンピュータには上記携帯用電源供給装置と接続可能に備えられたコネクタに隣接して別個に上記ＴＶ信号受信モジュールと接続可能なコネクタが備えられており，上記ＴＶ信号受信モジュールが上記コンピュータの上記ＴＶ信号受信モジュールコネクタに接続されてＴＶ信号をコンピュータに伝送するように構成されてもよい。
【００１６】
上記ＴＶ信号受信モジュールは，コンピュータにケーブルを通じて接続可能な外部連結端子をさらに含むように構成されてもよい。
【００１７】
上記課題を解決するために，本発明の別の観点によれば，アナログＴＶ信号及びデジタルＴＶ信号の双方を受信可能なチューナーと，上記チューナーによって上記アナログＴＶ信号から分離された映像信号を受けて画面上に表示可能な信号として処理するビデオデコーダと，上記ビデオデコーダで処理された映像信号を圧縮する圧縮エンジン部と，上記圧縮エンジン部で圧縮されたフォーマットで上記映像信号を格納するメモリ部と，上記デジタルＴＶ信号および上記メモリ部に格納された映像信号がコンピュータに伝送されるように制御するネットワーク連結部と，が一体に形成されてコンピュータの携帯用電源供給装置が装着される位置に設けられるように外装が形成されているＴＶ信号受信モジュール，を含むことを特徴とするコンピュータが提供される。
【００１８】
上記コンピュータは，携帯用電源供給装置と接続可能に備えられたコネクタに隣接して別個に設けられた上記ＴＶ信号受信モジュールと接続可能なＴＶ信号受信用のコネクタをさらに含み，上記ＴＶ信号受信モジュールが上記コンピュータの上記ＴＶ信号受信モジュールコネクタに接続されてＴＶ信号をコンピュータに伝送するように構成されてもよい。
【発明の効果】
【００１９】
以上説明したように本発明によれば，アナログＴＶ信号およびデジタルＴＶ信号の両方を受信し，携帯用コンピュータの使用時にも接続が可能であり，コンピュータの内部または／外部に装着装として使用可能なＴＶ信号受信モジュール及びこれを装着した携帯用コンピュータを提供することができる。
【発明を実施するための最良の形態】
【００２０】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２１】
図１は本実施形態によるＴＶ信号受信モジュールのブロック構成図である。図面に示したように，本実施形態によるＴＶ信号受信モジュールは，例えば，チューナー１と，ビデオデコーダ３と，圧縮エンジン部５と，メモリ部７と，ネットワーク連結部１０などを備える。ネットワーク連結部１０は，例えば，第１ＵＳＢコントローラ１１ａと，第２ＵＳＢコントローラ１１ｂと，ＵＳＢハブ１３などを含んで構成される。また，オーディオデコーダ４ａ及びＡＤＣ（アナログ／デジタル変換器）４ｂを備えることが好ましい。
【００２２】
ここで，ビデオデコーダ３，オーディオデコーダ４ａ，ＡＤＣ４ｂ及び圧縮エンジン部５は，コンピュータに有効なデジタル信号に復調，復元及び圧縮する機能を有する。なお，本実施形態では，本発明にかかるＴＶ信号受信モジュールを，特に，携帯用コンピュータへの装着に適したＴＶ信号受信モジュールに適用して説明する。同様に，本発明にかかるコンピュータを，特に，携帯用コンピュータに適用して説明する。
【００２３】
チューナー１は，ＡＴＳＣ（Ａｄｖａｎｃｅｄ  Ｔｅｌｅｖｉｓｉｏｎ  Ｓｙｓｔｅｍ  Ｃｏｍｍｉｔｔｅｅ）／ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）チューナーで構成され，放送局から伝送されたＴＶ信号の中で所望のチャンネル信号のみを選択して受信する機能を有する。すなわち，放送局の周波数によって所望の放送局を識別し，その周波数を選択して受信する。ＡＴＳＣはデジタルＴＶ放送の伝送方式であり，ＮＴＳＣはアナログＴＶ放送の伝送方式である。本実施形態によれば，チューナー１はデジタル及びアナログ放送の両方を受信することができる。
【００２４】
ＮＴＳＣの場合，チューナー１は上記アナログＴＶ信号を映像信号とオーディオ信号に分離してそれぞれＣＶＢＳ（Ｃｏｍｐｏｓｉｔｅ  Ｖｉｄｅｏ  Ｂｕｒｓｔ  Ｓｙｎｃ）及び中間周波数（Ｉｎｔｅｒｍｅｄｉａｔｅ  Ｆｒｅｑｕｅｎｃｙ，以後，ＩＦと称する。）信号に変換して出力する。
【００２５】
チューナー１は上記分離されたＴＶ映像信号をベースバンド信号であるＣＶＢＳに変換してビデオデコーダ３に出力し，上記分離されたオーディオ信号をＩＦ信号の形態に変換してオーディオデコーダ４ａに出力する。
【００２６】
ビデオデコーダ３は上記チューナー１から受信したＣＶＢＳをデジタルストリーム“ＣＣＩＲ６５６”に変換して例えばＭＰＥＧ（Ｍｏｖｉｎｇ  Ｐｉｃｔｕｒｅ  Ｅｘｐｅｒｔｓ  Ｇｒｏｕｐ）２エンコーダである圧縮エンジン部５に出力する。
【００２７】
さらに，オーディオデコーダ４ａは入力されたＩＦ信号形態のオーディオ信号をデジタルオーディオストリーム“Ｉ２Ｓ”の形態に変換してＭＰＥＧ２エンコーダである圧縮エンジン部５に出力する。
【００２８】
圧縮エンジン部５の一例であるＭＰＥＧ２エンコーダは，上記ビデオデコーダ３及びオーディオデコーダ４ａから取得したデジタルストリームを格納空間の効率性のために例えばＭＰＥＧ２プログラムストリームで圧縮する。
【００２９】
上記メモリ部７は，携帯用コンピュータ本体のモニターに表示される画面に対する画像情報が格納される格納空間として採用される。これにより，圧縮エンジン部５で圧縮されたＴＶ映像信号及びオーディオ信号がメモリ部７に格納され，上記格納された画像情報はグラフィックカード（図示せず）を介してモニターに表示される。
【００３０】
このようにアナログＴＶ信号であるＮＴＳＣはビデオデコーダ３，オーディオデコーダ４ａ及びＡＤＣ４ｂを通じて上記圧縮エンジン部５でＭＰＥＧ２プログラムストリームの形態で圧縮されて第２ＵＳＢコントローラ１１ｂに出力される。
【００３１】
一方，受信されたデジタルＴＶ信号であるＡＴＳＣは，デジタルＭＰＥＧ２トランスポートストリームに変換された後，そのまま第１ＵＢＳコントローラ１１ａに出力される。
【００３２】
上記第１ＵＳＢコントローラ１１ａは，ＡＴＳＣストリームをＵＳＢを用いて伝送するためにデータフォーマットを変換する制御部であり，上記第２ＵＳＢコントローラ１１ｂはＭＰＥＧ２プログラムストリームで圧縮されたＮＴＳＣストリームをＵＳＢを用いて伝送するためにデータフォーマットを変換する制御部の役割をする。
【００３３】
第１ＵＳＢコントローラ１１ａ及び第２ＵＳＢコントローラ１１ｂによりＵＢＳを通じて伝送に適するように変換されたＴＶ放送信号は，ＴＶ信号受信モジュールに備えられている後述するコネクタ又は外部連結端子に出力される。
【００３４】
ここで，上記コネクタ又は外部連結端子は，各々のコントローラ１１ａ，１１ｂに個別に割り当てることもできるが，本実施形態では携帯用コンピュータへの装着及び接続を簡単にするために，一つのコネクタ又は外部連結端子を備える例を示す。
【００３５】
このために，第１ＵＳＢコントローラ１１ａ及び第２ＵＳＢコントローラ１１ｂから変換されたＴＶ放送信号を受信するＵＳＢハブ１３が備えられるが，ＵＳＢハブ１３は一つのＵＳＢコネクタ又は外部連結端子に上記受信した二つのＴＶ放送信号が伝送されるように機能する。
【００３６】
ここで，ビデオデコーダ３，オーディオデコーダ４ａ，ＡＤＣ４ｂ，圧縮エンジン部５，第１ＵＳＢコントローラ１１ａ，第２ＵＳＢコントローラ１１ｂ及びＵＳＢハブ１３は一つの独立したチップの形態で具現されうる。
【００３７】
このような構成を含むＴＶ信号受信モジュールにより，一つのＴＶ信号受信モジュールでアナログＴＶ信号であるＮＴＳＣ，及びデジタルＴＶ信号であるＡＴＳＣの両方を受信することができる。もちろん，ＮＴＳＣとＡＴＳＣのうち，使用者の操作により予め選択された一つの信号のみが表示される。
【００３８】
また，ＰＣＩインターフェースの代わりにＵＳＢを用いて携帯用コンピュータに接続できるので，携帯用コンピュータの使用時に，コンピュータを再起動することなくいつでも接続してＴＶを視聴できる便宜を提供する。
【００３９】
その上，本実施形態によるＴＶ信号受信モジュールはメインボードに備えられたスロットに装着される必要はなく，携帯用コンピュータに容易に接続されうる。これにより，本実施形態によるＴＶ信号受信モジュールはスロット装着型ボードの形態を維持しなくてもよいため，様々な形態で設計されうる。
【００４０】
以下，携帯用コンピュータへの接続容易性に加え，携帯用コンピュータの携帯用電源供給装置が装着される位置に設けられるように設計され，ＴＶ信号受信モジュールが内部に装着された形で具現されたＴＶ信号受信モジュールを説明する。
【００４１】
図２は本実施形態によるＴＶ信号受信モジュールの配置図であり，図３は図２のＴＶ信号受信モジュールの斜視図である。図２及び図３に示すように，ＴＶ信号受信モジュールの外装は携帯用コンピュータの携帯用電源供給装置が装着される位置に設けられるように形成されている。
【００４２】
携帯用コンピュータは様々な形態の外装を有する携帯用電源供給装置を備えるが，本実施形態によるＴＶ信号受信モジュールの外装は接続安定性のために上記携帯用電源供給装置と同じことが好ましいが，上記携帯用電源供給装置が装着される部分に設けられる程度で上記携帯用電源供給装置より小さいことも可能である。
【００４３】
ＴＶ信号受信モジュールの一側には，携帯用コンピュータの本体の背面で携帯用電源供給装置が接続されるコネクタと隣接して別個に備えられているＵＳＢポートに接続されるコネクタ２０と，上記ＴＶ信号受信モジュール内の部品に電源を供給するための電源入力端子２１と，ケーブルなどを用いて携帯用コンピュータ本体（例えば，本体の背面，図４Ｂを参照）に備えられているＵＳＢポートに連結されうる外部連結端子２３が備えられている。
【００４４】
さらに，ＴＶ信号受信モジュールの他側には，例えば，Ｓ−ビデオ入出力端子２５ａ，オーディオ信号の入出力のための二つのステレオ端子２５ｂ及びビデオ入力端子２５ｃなどの複数の入出力端子と，チューナー１に接続されている放送信号受信用のアンテナ２５ｄとが備えられている。
【００４５】
ＴＶ信号受信モジュールのうち，チューナー１を除いたＴＶ信号処理モジュール２は，ＴＶ信号受信モジュールケーシング内部に配置されるが，チューナー１を通じて受信されたアナログＴＶ信号がビデオデコーダ３及びオーディオデコーダ４ａに入力されるようにチューナー１に接続されており，同様にチューナー１を通じて受信されたデジタルＴＶ信号が第１ＵＳＢコントローラ１１ａに入力されるようにチューナー１に接続されている。
【００４６】
さらに，入力された信号のデジタル変換の機能を行うビデオデコーダ３は，Ｓ−ビデオ入出力端子２５ａ及びビデオ入力端子２５ｃと接続されうる。
【００４７】
ＴＶ信号処理モジュール２内のチップ配置は図面に示したようには限定されず，上述した接続関係のみ存在すれば，どのような配置でも構わない。
【００４８】
コネクタ２０は図４Ａに示したように，携帯用コンピュータに装着される場合，携帯用コンピュータの接続のための連結端子として使用される。もちろん，携帯用コンピュータの背面にもコネクタ２０と接続される連結端子を予め備えるべきである。コネクタ２０及び上記携帯用コンピュータ側の連結端子は，携帯用コンピュータに接続される携帯用電源供給装置のコネクタ及び携帯用コンピュータ側の携帯用電源供給装置用コネクタの位置に隣接して，好ましくは側面に別個に形成されていることが好ましい。
【００４９】
また，携帯用コンピュータに装着される携帯用電源供給装置を取り除き，その位置にＴＶ信号受信モジュールが装着される場合，携帯用電源供給装置による電源供給は不可能になる。したがって，携帯用コンピュータの電源供給はＡＣにより行われることが好ましい。
【００５０】
図４Ａのように携帯用コンピュータの背面に装着される場合は，電源入力端子２１を通じたＴＶ信号受信モジュールへの電源供給が容易でない。この場合，コネクタ２０の多数のピンのうち，一部は携帯用コンピュータのＵＳＢポートに連結させ，残り一部のピンは携帯用コンピュータで使用している電源の一部を受けて使用するように構成されることが好ましい。
【００５１】
外部連結端子２３は，図４Ｂに示したように，携帯用コンピュータのＵＳＢポートにケーブルなどを用いてＴＶ信号受信モジュールを接続するときに使用される。この場合，携帯用コンピュータはＡＣ電源を受けることができ，携帯用電源供給装置により電源を受けることもできる。この際，ＴＶ信号受信モジュールはＡＣ電源を受けることが好ましい。
【００５２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００５３】
本発明は携帯用コンピュータに接続可能なＴＶ信号受信モジュール及びこれを装着した携帯用コンピュータに適用可能であり，特に，アナログ／デジタルＴＶ信号の両方を受信し，携帯用コンピュータの使用時にも接続が可能であり，内部にまたは外部に装着可能なＴＶ信号受信モジュール及びこれを装着した携帯用コンピュータに適用可能である。
【図面の簡単な説明】
【００５４】
【図１】本発明によるＴＶ信号受信モジュールのブロック構成図。
【図２】本発明の実施形態によるＴＶ信号受信モジュールのブロック図である。
【図３】同実施の形態におけるＴＶ信号受信モジュールの斜視図である。
【図４Ａ】同実施の形態におけるＴＶ信号受信モジュールが携帯用コンピュータに装着される例を示した説明図である。Ｂは本発明によるＴＶ信号受信モジュールが携帯用コンピュータにケーブルで接続される例を示した図。
【図４Ｂ】同実施の形態におけるＴＶ信号受信モジュールが携帯用コンピュータにケーブルで接続される例を示した説明図である。
【符号の説明】
【００５５】
１      チューナー
２      ＴＶ信号処理モジュール
３      ビデオデコーダ
４ａ      オーディオデコーダ
４ｂ      アナログ／デジタル変換器
５      圧縮エンジン部
７      メモリ部
１０      ネットワーク連結部
１１ａ      第１ＵＳＢコントローラ
１１ｂ      第２ＵＳＢコントローラ
１３      ＵＳＢハブ
２０      コネクタ２０
２１      電源入力端子
２３      外部連結端子
２５ａ      Ｓ−ビデオ入出力端子
２５ｂ      ステレオ端子
２５ｃ      ビデオ入力端子
２５ｄ      アンテナ
【図１】
2005006284.tif 000003
【図２】
2005006284.tif 000004
【図３】
2005006284.tif 000005
【図４Ａ】
2005006284.tif 000006
【図４Ｂ】
2005006284.tif 000007